(57)【要約】【課題】作業時間の短縮が可能な張線装置及び分流回路形成システムを提供する。【解決手段】本発明の張線装置１は、長手方向に伸縮可能な棒状の本体部１０と、本体部１０の長手方向の両端に取り付けられた電線掴持部５０と、本体部１０の内部を延び、本体部１０の伸縮に合わせて伸縮可能な伸縮構造を有し、電線掴持部５０の一方により掴持された電線の第１部分から、電線掴持部５０の他方により掴持された電線の第２部分までを導通する分流回路部５７，７０と、を備える。【選択図】図２
2017123721.tif 000002
【特許請求の範囲】
【請求項１】
長手方向に伸縮可能な棒状の本体部と、
前記本体部の前記長手方向の両端に取り付けられた電線掴持部と、
前記本体部の内部を延び、前記本体部の伸縮に合わせて伸縮可能な伸縮構造を有し、前記電線掴持部の一方により掴持された電線の第１部分から、前記電線掴持部の他方により掴持された電線の第２部分までを導通する分流回路部と、
を備える張線装置。
【請求項２】
前記分流回路部は、前記第１部分から前記第２部分までの導通を遮断及び接続可能な開閉装置を備える請求項１に記載の張線装置。
【請求項３】
前記開閉装置は、ガス絶縁開閉装置である請求項２に記載の張線装置。
【請求項４】
前記第１部分と前記第２部分の充電状態を検出可能な検出部、及び、
前記検出部により検出された前記充電状態を示す充電情報を送信可能な張線装置側通信部を備える請求項２又は３に記載の張線装置と、
前記張線装置側通信部から送信された前記充電情報を受信可能であり、前記開閉装置の遮断指示及び接続指示を前記張線装置に送信可能なリモコン側通信部を備えるリモコン装置と、
を具備する分流回路形成システム。
【請求項５】
前記張線装置を複数備え、
前記リモコン装置は、複数の前記張線装置の前記充電情報より、前記張線装置の電線への装着状態を判定する判定部を有し、
前記判定部が、全ての前記張線装置がそれぞれの被装着対象の電線に装着されたと判定した場合に、前記リモコン装置が前記張線装置への前記接続指示を前記張線装置に送信可能となる
請求項４に記載の分流回路形成システム。
【発明の詳細な説明】
【技術分野】
【０００１】
本発明は、張線装置及び分流回路形成システムに関する。
【背景技術】
【０００２】
径間途中の配電線の縁切り又は縁接続を行う際に、張線装置（ストレインロッド）が使用されている。張線装置は、電線における所定間隔離間した部分を掴持し、掴持した部分を、張力を加えたまま支持するものであり、断線した電線部分が落下するのを防止できる。
従来、このような張線装置を使用する際、分流回路を形成するために、電柱に予め工事用開閉器を設置し、分流回路を形成するためのケーブルを取り付けて、例えば皮むき器により剥かれた配電線の裸線部分に引下げ線を接続してバイパスを構成し、配電線の通電を確保している。
【先行技術文献】
【特許文献】
【０００３】
【特許文献１】特開平２００１−２０４１３１号公報
【発明の概要】
【発明が解決しようとする課題】
【０００４】
しかし、上記従来技術によると、張線装置と工事用開閉器との両方を取付ける必要があるため準備作業に時間を要してしまう。また、工事用開閉器のケーブル等が作業空間にあるため、作業スペースの確保や作業位置の移動に労力・作業時間を費やしている。
【０００５】
本発明は、作業時間の短縮が可能な張線装置及び分流回路形成システムを提供することを目的とする。
【課題を解決するための手段】
【０００６】
（１）本発明は、長手方向に伸縮可能な棒状の本体部と、前記本体部の前記長手方向の両端に取り付けられた電線掴持部と、前記本体部の内部を延び、前記本体部の伸縮に合わせて伸縮可能な伸縮構造を有し、前記電線掴持部の一方により掴持された電線の第１部分から、前記電線掴持部の他方により掴持された電線の第２部分までを導通する分流回路部と、を備える張線装置である。
【０００７】
（２）前記分流回路部は、前記第１部分から前記第２部分までの導通を遮断及び接続可能な開閉装置を備えることが好ましい。
【０００８】
（３）前記開閉装置は、ガス絶縁開閉装置であってもよい。
【０００９】
（４）本発明は、前記第１部分と前記第２部分の充電状態を検出可能な検出部、及び、前記検出部により検出された前記充電状態を示す充電情報を送信可能な張線装置側通信部を備える上記張線装置と、前記張線装置側通信部から送信された前記充電情報を受信可能であり、前記開閉装置の遮断指示及び接続指示を前記張線装置に送信可能なリモコン側通信部を備えるリモコン装置と、を具備する分流回路形成システムである。
【００１０】
（５）前記張線装置を複数備え、前記リモコン装置は、複数の前記張線装置の前記充電情報より、前記張線装置の電線への装着状態を判定する判定部を有し、前記判定部が、全ての前記張線装置がそれぞれの被装着対象の電線に装着されたと判定した場合に、前記リモコン装置が前記張線装置への前記接続指示を前記張線装置に送信可能となることが好ましい。
【発明の効果】
【００１１】
本発明によれば、作業時間の短縮が可能な張線装置及び分流回路形成システムを提供することができる。
【図面の簡単な説明】
【００１２】
【図１】本発明の一実施形態の張線装置を電線に取り付けた状態を示した図である。
【図２】張線装置を示す図である。
【図３】本体部の内部構造の概略図である。
【図４】張線装置のブロック図である。
【図５】張線装置を動作するリモコン装置を示す図である。
【発明を実施するための形態】
【００１３】
以下、本発明の実施形態について説明する。図１は、本発明の一実施形態の張線装置１（ストレインロッド）を電線２に取り付けた状態を示した図である。図２は、張線装置１を示す図である。なお、実施形態では図１の矢印に示すように、本実施形態では右側から左側に電力が供給され、以下、必要に応じて右側を上流側、左側を下流側という。
【００１４】
図２に示すように、本実施形態の張線装置１は、細長い棒状の本体部１０と、その本体部１０の両端のそれぞれに取り付けられるとともに後述の掴持側分流回路部５７が形成されている電線掴持部５０（カムラー）と、本体部１０の内部に配置される後述の本体側分流回路部７０と、を備える。
【００１５】
本体部１０は、絶縁材で形成された長尺の円筒部材で、本体部１０の略中央部に設けられた第１筒部２０と、第１筒部２０の一端（実施形態では上流側端部）に取り付けられた筒状の握り部３０と、第１筒部２０の他端（実施形態では下流側端部）に取り付けられた第２筒部２５と、本体部１０の両端に取り付けられ、電線掴持部５０に連結される本体側連結部２６と、第１筒部２０を間に挟むようにして、握り部３０と第２筒部２５とのそれぞれに挿通された支持部４０と、を備える。
【００１６】
第１筒部２０は、中空の筒部材で、ＦＲＰ（Ｆｉｂｅｒ  Ｒｅｉｎｆｏｒｃｅｄ  Ｐｌａｓｔｉｃｓ）で製造された部分２０ａと、テフロン（登録商標）で製造された部分２０ｂとを有する。第１筒部２０の握り部３０側の外周に、ツバ部２１が取り付けられている。ツバ部２１は、第１筒部２０の外周に嵌合し、握り部３０側に径が広がるように形成されており、感電事故を防止するべく、作業者が握ってよい位置と握ってはいけない位置とを区別する。
【００１７】
握り部３０は、内径が、第１筒部２０の外径より大きい筒部材である。握り部３０は、第１筒部２０の外周を長手方向にスライド可能である。握り部３０が第１筒部２０の外周をスライドすることにより、本体部１０の全長が伸縮する。
【００１８】
本体部１０は、握り部３０を第１筒部２０に対してスライドさせるツイストロック３１を備える。ツイストロック３１を緩める方向に回転すると、握り部３０の第１筒部２０に対するスライド、すなわち本体部１０の伸縮が可能となる。ツイストロック３１を締める方向に回転すると、握り部３０の第１筒部２０に対するスライドが不能となり、本体部１０の長さが固定される。
ツイストロック３１の回転は、活線工事用操作具（ホットスティック）を用いて行うことができる。ツイストロック３１を緩めて、本体部１０を収縮させることにより、両端の電線掴持部５０を互いに接近させて、電線掴持部５０により掴まれている間の電線２の張りを緩めることができる。
なお、本実施形態においては、ツイストロック３１は回転式を採用しているが、これに限定されず、例えば、油圧式や電動式等であってもよい。
【００１９】
支持部４０は、握り部３０及び第２筒部２５の外周に挿通される環状の挿通部４１と、挿通部４１を握り部３０及び第２筒部２５に対して固定する固定リング４２と、電線２が遊挿される円環部４３とを有している。
円環部４３は、円周の一部を開閉する開閉部４４を有している。開閉部４４を開いて、その円周上の開いた部分から円環部４３を電線２の外周に配置し、開閉部４４を閉じることにより支持部４０は電線２に懸架される。開閉部４４の開閉は、ホットスティックによって操作可能である。
【００２０】
電線掴持部５０は、電線２を掴む部分で、電線２を上下より挟みこむ上部クランプ部５１及び下部クランプ部５２と、上述の本体側連結部２６に連結される掴持側連結部５３と、掴持側連結部５３から延びるレバー部５４と、レバー部５４に対して揺動することにより、下部クランプ部５２を上部クランプ部５１に対して移動させて、下部クランプ部５２を上部クランプ部５１とによる電線２の掴み動作を行わせるベース部５５と、を備える。ベース部５５の揺動は、ベース部５５に取り付けられたアイボルト部をホットスティックによって操作することで可能である。
【００２１】
電線掴持部５０の外側は絶縁部材で覆われているが、下部クランプ部５２と上部クランプ部５１との少なくとも一方は、掴持する電線２と導通可能となっている。また、下部クランプ部５２と上部クランプ部５１との導通可能となっている部分と、ベース部５５と、レバー部５４と、掴持側連結部５３とは電気的に接続され、掴持側分流回路部５７が形成されている。
例えば、電線２を皮剥ぎ器を用いて所定長さの裸線部分を形成し、その裸線部を下部クランプ部５２を上部クランプ部５１により挟持すると、掴持側分流回路部５７により電線２から掴持側連結部５３まで電気的に接続される。
【００２２】
図３は、本体部１０の内部構造の概略図である。本体部１０の内部には、本体部１０の両端に設けられた本体側連結部２６間を電気的に接続する本体側分流回路部７０が延びている。
【００２３】
上述した第１筒部２０、第２筒部２５及び握り部３０は、本体側分流回路部７０の外周に配置され、それぞれ絶縁部材で製造されており、本体側分流回路部７０とは完全に絶縁されている。本体側分流回路部７０は、開閉装置７１と、伸縮構造７２とを備える。
本体側分流回路部７０は、一方の本体側連結部２６（掴持側分流回路部５７）から延びる第１回路部７３と、他方の本体側連結部２６（掴持側分流回路部５７）から延び、且つ途中に開閉装置７１が取り付けられた第２回路部７４とを有する。
【００２４】
第２回路部７４は棒状部材で、第１回路部７３側は筒状になっている。その筒状の部分（筒状部７５）の先端は、開口が小さい小径開口部７６が形成されている。小径開口部７６の内周には、ボール部材７７が配置されている。
第２回路部７４の筒状部７５の底部（第１回路部７３の反対側）には、コイルバネ７８が配置されている。コイルバネ７８の先端には、円柱部材７９が取り付けられている。円柱部材７９の外周には、ボール部材８０が配置されている。
【００２５】
第１回路部７３は棒状部材で、その第２回路部７４側は、第２回路部７４の小径開口部７６を通って筒状部７５の内部に挿入されている。第１回路部７３は、小径開口部７６のボール部材７７と当接し、ボール部材７７の回転により滑らかに軸方向に移動可能である。
第１回路部７３の先端は、小径開口部７６の内径より大きい外径を有する大径部８１が形成されている。大径部８１の外周には、サスペンション付の回転可能な金属製のボール部材８２が取り付けられており、ボール部材８２は、筒状部７５の内面に対して押し付けられている。このようにボール部材８２が筒状部７５の内面に押し付けられることにより、第１回路部７３と第２回路部７４側との導通が確保される。
第１回路部７３の大径部８１は、第２回路部７４の小径開口部７６よりも大径であるので、第１回路部７３の大径部８１は第２回路部７４の筒状部７５から外に出ることがない。
【００２６】
第２回路部７４の筒状部７５と、コイルバネ７８と、円柱部材７９と、大径部８１とで伸縮構造７２を構成している。
第２回路部７４の筒状部７５内に配置されたコイルバネ７８の先端の円柱部材７９と、第１回路部７３の大径部８１とが当接しており、本体部１０が収縮すると、円柱部材７９を大径部８１が押し、第２回路部７４の筒状部７５への侵入深さが深くなる。すなわち、伸縮構造７２により、本体部１０の全長の伸縮に合わせて本体側分流回路部７０の伸縮が可能となる。
【００２７】
開閉装置７１は、本体側分流回路部７０の導通を、接続及び遮断可能な装置である。実施形態では、開閉装置７１としてＧＩＳ（ガス絶縁開閉装置）を用いる。ＧＩＳは、不活性ガスを充填した密閉容器に収納されている装置であり、電流を遮断する際に電極間に発生する可能性のあるアーク放電を不活性ガスによって消滅させる開閉装置である。ＧＩＳを用いることによると、本体側分流回路部７０の小型化が可能である。
【００２８】
図４は張線装置１のブロック図である。張線装置１は、上記構成に加え、上端側の電線掴持部５０により掴まれた電線２の充電状態を検出する第１検出部９１と、下端側の電線掴持部５０により掴まれた電線２の充電状態を検出する第２検出部９２と、後述するリモコン装置と通信を行う通信部９３と、これらの張線装置１内部の電力で駆動される部分へ供給される電力を充電する充電部９４と、これらを制御する制御部９５とを備える。充電部９４は、張線装置１が電線２に取り付けられた際、電線２の電磁界を利用して張線装置１内の機構を動作するための電力を充電する。
【００２９】
張線装置１の開閉装置７１は、リモコン装置１００により動作可能である。張線装置１とリモコン装置１００とで、図１に示すように分流回路形成システム２００を形成する。
図５は、張線装置１を動作するリモコン装置１００を示す図である。張線装置１を用いて電線２の縁切り、縁接続を行う場合、通常、三相の電線２に対して同時に作業を行う。このため、図示するようにリモコン装置１００は、三相（赤相、白相、青相）全ての電線２における、張線装置１が取り付けられている上流側（Ｕ）の充判状態を示す３つのランプ１０１，１０２，１０３と、下流側（Ｄ）との充判状態を示すランプ１１１，１１２，１１３とを備える。
さらにリモコン装置１００は、それぞれの電線２の、開閉装置７１による接続状態を示すランプ１２１，１２２，１２３と、試験スイッチ１３０と、開閉装置７１をＯＮにするＯＮスイッチ１３１と、開閉装置７１をＯＦＦにするＯＦＦスイッチ１３２とを備える。
【００３０】
リモコン装置１００は、三相の全てに対する張線装置１の取り付けが完了しないと開閉装置７１のＯＮスイッチ１３１の操作ができない。すなわち、いずれかの相（図中、赤相、白相、青相）において上流側（Ｕ）及び下流側（Ｄ）の両方が、ともに点灯していない（両方が消灯している）状態の場合、その相の電線２には張線装置１の取付が完了していない状態であるので、リモコン装置１００に装置による、開閉装置７１のＯＮ操作ができない。なお、図示する例では、白相は上流側Ｕのみ点灯しているので、張線装置１は取り付けられているが、電線掴持部５０で掴持されている間で電線２が遮断されている状態を示す。赤相は、上流側Ｕ，下流側Ｄの両方が点灯していないので、開閉装置７１の取り付けが完了していない状態を示す。青相は、上流側Ｕ，下流側Ｄの両方が点灯しているので、開閉装置７１が取付けられており、電線掴持部５０で掴持されている間の電線２が遮断されていない状態を示す。
【００３１】
次に、本発明の張線装置１の取付方法について説明する。なお、張線装置１は、三相の電線２のそれぞれに取り付けるが、取付方法は同様あるので、一つの相の電線２への張線装置１の取付方法について説明する。
【００３２】
開閉装置７１が開き（第１回路部７３と第２回路部７４との間の導通が遮断された状態）、張線装置１に取り付けられている円環部４３の開閉部４４が開いた状態の張線装置１の、その円周上の開いた部分の円環部４３を電線２の外周に配置し、開閉部４４を閉じる。これにより支持部４０が電線２に懸架される。
このとき、充電部９４において、電線２の電磁界を利用して張線装置１内の機構を動作するための電力の充電が開始される。
【００３３】
電線２を皮剥ぎ器を用いて所定長さの裸線部分を形成し、その裸線部を下部クランプ部５２と上部クランプ部５１により挟持する。
これにより、掴持側分流回路部５７により電線２から掴持側連結部５３まで電気的に接続される。
【００３４】
充電部９４により充電された電力により張線装置１は、通信部９３を介してリモコン装置１００に、電線掴持部５０で把持した部分の充電状態を示す情報を送信する。
リモコン装置１００は、電線掴持部５０で把持した部分の充電状態を受信すると、充電状態に応じてランプ１１１，１１２，１１３，１２１，１２２，１２３を点灯させる。
作業者は、ランプ１１１，１１２，１１３，１２１，１２２，１２３の点灯状態より、張線装置１が三相全ての電線２に取り付けられているかチェック可能となる。
【００３５】
三相全ての電線２に張線装置１が取り付けられている状態でない場合、すなわち、それぞれの相の電線２のいずれかにおいて、上流側（Ｕ）及び下流側（Ｄ）の両方が、ともに点灯していない（両方が消灯している）場合、ＯＮスイッチを入れることができない。それ以外の場合は、リモコン装置１００のＯＮスイッチ１３１を入れることが可能となる。
【００３６】
ＯＮスイッチ１３１を入れると、リモコン装置１００は張線装置１に開閉装置７１を閉じる信号を送信する。張線装置１は、開閉装置７１を閉じる信号を受信すると、開閉装置７１を閉じて、第１回路部７３と第２回路部７４とが接続される。これにより、本体側分流回路部７０が導通し、本体側分流回路部７０と掴持側分流回路部５７とで、張線装置１全体を通した分流回路部が形成される。
【００３７】
ツイストロック３１を緩めて、張線装置１の全長を縮める。この状態で作業者は、電線２の遮断、接続等の各種作業を行う。
三相全ての電線２において、上流側（Ｕ）及び下流側（Ｄ）の両方が点灯していることを確認した後、作業者は、リモコン装置１００のＯＦＦスイッチ１３２を入れる。
その後、作業者は張線装置１を取り外し、電線２の裸線部分を被覆して作業は完了する。
【００３８】
以上、本実施形態によると、電線の縁切り又は縁接続作業時において、張線装置１に分流回路部が形成されているため、電力供給が停止されることなく停電になることがない。
また、本実施形態によると、張線装置１に分流回路部が形成されているため、工事用開閉器の取付が不要である。ゆえに工事用開閉器を取り付けるための作業時間が短縮される。
さらに、工事用開閉器のケーブル等が作業空間に存在しないため、作業スペースの確保や作業位置の移動に労力・作業時間を費やす必要がない。
リモコン装置１００は三相全ての電線２に張線装置１が取り付けられていない場合、接続しないので、不安定な電力が供給されることがない。
【符号の説明】
【００３９】
１  張線装置
２  電線
１０  本体部
３０  握り部
５０  電線掴持部
５７  掴持側分流回路部
７０  本体側分流回路部
７１  開閉装置
７２  伸縮構造
１００  リモコン装置
２００  分流回路形成システム
【図１】
2017123721.tif 000003
【図２】
2017123721.tif 000004
【図３】
2017123721.tif 000005
【図４】
2017123721.tif 000006
【図５】
2017123721.tif 000007